(57)【要約】【課題】  通信端末装置において、続き物のコンテンツにおける続編の再生を簡易に行う。【解決手段】  特定ファイル内のコンテンツの再生が終了すると、続編判定部３２が、特定ファイル内のヘッダ部において「次ファイルのコンテンツＩＤ」がセットされているか否かを判定する。この判定の結果が肯定的なものであり、かつ、利用者が続編の再生を希望する場合には、続編判定部３２が、次ファイルの探索指令を続編探索部３５へ送る。この次ファイルの探索指令を受けた続編探索部３５は、コンテンツ記憶領域２４Ｆ内において、「次ファイルのコンテンツＩＤ」と同じＩＤを「このファイルのコンテンツＩＤ」として保持するヘッダ部を持つ次ファイルを探索する。この探索の結果、次ファイルが見つかった場合には、コンテンツ表示管理部３４は、次ファイルに収納されたコンテンツを再生する。【選択図】  図７
2008052693.tif 000002
【特許請求の範囲】
【請求項１】
通信端末装置において使用されるコンテンツ再生方法であって、
第１コンテンツが収納された第１ファイルのヘッダ情報において、前記第１コンテンツの続編である第２コンテンツの識別子が指定されているか否かを判定する第１判定工程と；
前記第１判定工程における判定の結果が肯定的なものであった場合に、前記通信端末装置の記憶手段内を検索し、前記第２コンテンツが記憶されているか否かを判定する第２判定工程と；
前記第２判定工程における判定の結果が肯定的なものであった場合に、前記記憶手段から前記第２コンテンツを読み出し、前記第２コンテンツを前記通信端末装置のコンテンツ提示手段を利用して提示するコンテンツ提示工程と；
を備えるコンテンツ再生方法。
【請求項２】
前記第１ファイルは、前記第２コンテンツが収納された第２ファイルを格納したサーバのネットワーク上の位置を示す識別子を含むヘッダ情報を有し、
前記第２判定工程における判定の結果が否定的なものであった場合に、前記識別子を利用して前記第２ファイルを取得する取得工程を更に備える、
ことを特徴とする請求項１に記載のコンテンツ再生方法。
【請求項３】
前記記憶手段には、前記通信端末装置に固定的に内蔵されている固定型記憶手段と、前記通信端末装置に対して挿抜可能な記憶手段であって前記通信端末装置に搭載された可搬型記憶手段とが含まれ、
前記第２判定工程は、
前記固定型記憶手段及び前記可搬型記憶手段のうち、前記第１コンテンツが収納されていた第１記憶手段内について前記第２コンテンツを検索する第１検索工程と；
前記第１検索工程において前記第２コンテンツを発見できなかった場合に、前記第１記憶手段とは異なる第２記憶手段内について前記第２コンテンツを検索する第２検索工程と；を備える、
ことを特徴とする請求項１又は２に記載のコンテンツ再生方法。
【請求項４】
コンテンツを提示するコンテンツ提示手段と；
コンテンツファイルを記憶する記憶手段と；
前記記憶手段内に記憶されている、第１コンテンツが収納された第１ファイルのヘッダ情報において、前記第１コンテンツの続編である第２コンテンツの識別子が指定されているか否かを判定する第１判定手段と；
前記第１判定手段による判定の結果が肯定的なものであった場合に、前記記憶手段内を検索し、前記第２コンテンツが記憶されているか否かを判定する第２判定手段と；
前記第２判定手段による判定の結果が肯定的なものであった場合に、前記記憶手段から前記第２コンテンツを読み出し、前記第２コンテンツを前記コンテンツ提示手段を利用して提示するコンテンツ提示制御手段と；
を備える通信端末装置。
【請求項５】
前記第１ファイルは、前記第２コンテンツが収納された第２ファイルを格納したサーバのネットワーク上の位置を示す識別子を含むヘッダ情報を有し、
前記第２判定手段による判定の結果が否定的なものであった場合に、前記識別子を前記第１ファイルのヘッダ情報より読み出し、前記識別子を利用して前記第２ファイルを取得する取得手段を更に備える、
ことを特徴とする請求項４に記載の通信端末装置。
【請求項６】
前記コンテンツ提示手段には、表示手段及び音声出力手段の少なくとも一方が含まれる、ことを特徴とする請求項４又は５に記載の通信端末装置。
【請求項７】
前記記憶手段は、前記通信端末装置に固定的に内蔵されている固定型記憶手段と、前記通信端末装置に対して挿抜可能な記憶手段であって前記通信端末装置に搭載された可搬型記憶手段とを含み、
前記第２判定手段は、前記固定型記憶手段及び前記可搬型記憶手段のうち、前記第１コンテンツが収納されていた第１記憶手段内について前記第２コンテンツを検索し、当該検索により前記第２コンテンツを発見できなかった場合に、前記第１記憶手段とは異なる第２記憶手段内について前記第２コンテンツを検索する第２検索手段と；を備える、
ことを特徴とする、請求項４〜６のいずれか一項に記載の通信端末装置。
【請求項８】
移動通信網の基地局との間で無線通信を行う無線通信手段を更に備える、ことを特徴とする請求項４〜７のいずれか一項に記載の通信端末装置。
【発明の詳細な説明】
【技術分野】
【０００１】
本発明は、通信端末装置のコンテンツ再生方法、及び、当該コンテンツ再生方法を使用する通信端末装置に関するものである。
【背景技術】
【０００２】
従来から、携帯電話装置等の通信端末装置が広く普及している。近年においては、通信端末装置の機能向上とともに、通話機能、電子メール送受信機能、ブラウザ機能等の通信機能を備える以外にも、音楽や小説、更には動画の様な内容を持つデジタルコンテンツを鑑賞することも可能となっている。これらのコンテンツは、ファイル形式で一般の店舗から購入する以外にも、最近において充実が目覚しいコンテンツプロバイダによるダウンロードサービスを利用して入手することが可能となってきている。
【０００３】
入手されたコンテンツファイルは、通信端末装置の内部の記憶部や、通信端末装置が読み取り可能な記録媒体に格納される。そして、利用者が所望のコンテンツが含まれるファイルを探し出し、展開指令を行うことにより、様々なコンテンツを楽しむことができるようになっている。
【発明の開示】
【発明が解決しようとする課題】
【０００４】
上述した従来例の技術では、利用者の通信端末装置に保存されたコンテンツを再生する場合には、記憶部のコンテンツフォルダ内における所望のコンテンツを含むコンテンツファイルを、利用者が手動操作により探し出して、展開指令を行うようになっている。ところで、例えば連載物の小説若しくはコミック及びドラマ等についてのコンテンツという続き物の形態を採る続き物コンテンツでは、一話毎にファイルが作成されるのが一般的である。このため、再生が終了したものの続編を再生しようとするときには、当該続編が含まれるファイルをファイル名等をキーとして、利用者が手動操作により探し出すことが必要であった。
【０００５】
このため、続編コンテンツの再生を開始するまでに、多くの操作が必要であった。特に、移動通信端末装置を用いる場合には表示画面も小さく、保存されたファイルの数が多くなれば見つけたいファイルも探しにくく、利用者には不便であった。
【０００６】
本発明は、上記の事情を鑑みてなされたものであり、通信端末装置において、続き物のコンテンツにおける続編の再生を簡易に行うことができるコンテンツ再生方法を提供することを目的とする。
【０００７】
また、本発明は、続き物のコンテンツにおける続編の再生を簡易に行うことができる通信端末装置を提供することを目的とする。
【課題を解決するための手段】
【０００８】
本発明は、第１の観点からすると、通信端末装置において使用されるコンテンツ再生方法であって、第１コンテンツが収納された第１ファイルのヘッダ情報において、前記第１コンテンツの続編である第２コンテンツの識別子が指定されているか否かを判定する第１判定工程と；前記第１判定工程における判定の結果が肯定的であった場合に、前記通信端末装置の記憶手段内を検索し、前記第２コンテンツが記憶されているか否かを判定する第２判定工程と；前記第２判定工程における判定の結果が肯定的であった場合に、前記記憶手段から前記第２コンテンツを読み出し、前記第２コンテンツを前記通信端末装置のコンテンツ提示機能を利用して提示するコンテンツ提示工程と；を備えるコンテンツ再生方法である。
【０００９】
ここで、「記憶手段」には、通信端末装置の内部の記憶部、及び、通信端末装置が読み取り可能な内部又は外部の記録媒体が含まれる。
【００１０】
このコンテンツ再生方法では、第１判定工程において、第１コンテンツが収納された第１ファイルのヘッダ情報を読み出す。引き続き、読み出されたヘッダ情報中に、第１コンテンツの続編である第２コンテンツの識別子が指定されているか否かを判定する。ここで、ヘッダ情報は、各コンテンツを収納したファイルに予め付与されているものである。
【００１１】
第１判定工程における判定結果が肯定的なものであった場合には、第２判定工程において、通信端末装置の記憶手段内を検索し、第１コンテンツのヘッダ情報中に指定されていた第２コンテンツの識別子と同じ識別子を、自身のコンテンツの識別子として自身のヘッダ情報中に保持するコンテンツファイルを検索する。引き続き、検索の結果、当該第２ファイルが記憶手段内に存在することが検出されたか否かを判定する。
【００１２】
第２判定工程における判定の結果が肯定的であった場合には、コンテンツ提示工程において、通信端末装置の記憶手段内から当該第２コンテンツを読み出し、通信端末装置の提示機能を利用して、当該第２コンテンツを利用者に提示する。
【００１３】
よって、第１コンテンツが収納された第１ファイルのヘッダ情報において、第１コンテンツの続編である第２コンテンツの識別子が指定され、かつ、第２コンテンツが収納された第２ファイルが記憶手段内に存在している場合には、続編の再生指定といった簡易な操作を行うことにより、続編の探索が行われ、当該続編の再生が行われる。この結果、利用者は、第１コンテンツファイルを閉じた後、自ら通信端末装置の記憶手段内を検索することなく、続編を楽しむことができる。したがって、本発明によれば、続き物のコンテンツにおける続編の再生を簡易に行うことができる。
【００１４】
本発明のコンテンツ再生方法では、前記第１ファイルは、前記第２コンテンツが収納された第２ファイルを格納したサーバのネットワーク上の位置を示す識別子を含むヘッダ情報を有し、前記第２判定工程における判定の結果が否定的なものであった場合に、前記識別子を利用して前記第２ファイルを取得する取得工程を更に備えるようにすることができる。
【００１５】
この場合には、第１コンテンツの続編としてヘッダ情報中に指定される識別子により特定される第２コンテンツを収納したファイルが通信端末装置の記憶手段内に存在しない場合には、取得工程において、第１ファイルのヘッダ情報において指定されている、第２コンテンツが記憶されているネットワーク上の位置の識別子を利用してネットワークに接続し、第２ファイルを取得する。
【００１６】
よって、続編のコンテンツが通信端末装置の記憶手段内に存在しない場合にも、第１コンテンツファイルのヘッダ情報中のネットワーク上の位置の識別子を用いることで、利用者は、簡易に続編を取得し再生させることができる。
【００１７】
なお、第２コンテンツの取得に際しては、例えば、第２コンテンツが既に購入済みであったり、無償提供対象であったりして、第２コンテンツを保有しているサーバが自動ダウンロードを行っている場合には、通信端末装置による当該識別子を利用したサーバへのアクセスにより、第２コンテンツを収納するファイルが自動的にダウンロードされる。一方、新たな購入契約が必要であったり、利用者によるダウンロードの許可が必要であったりする場合には、表示部に表示されるウェブページ上に提示されるガイダンスに従って、利用者が、通信端末装置において適宜入力操作等を行うことにより、第２ファイルがダウンロードされる。
【００１８】
本発明のコンテンツ再生方法では、前記記憶手段には、前記通信端末装置に固定的に内蔵されている固定型記憶手段と、前記通信端末装置に対して挿抜可能な記憶手段であって前記通信端末装置に搭載された可搬型記憶手段とが含まれ、前記第２判定工程は、前記固定型記憶手段及び前記可搬型記憶手段のうち、前記第１コンテンツが収納されていた第１記憶手段内について前記第２コンテンツを検索する第１検索工程と；前記第１検索工程において前記第２コンテンツを発見できなかった場合に、前記第１記憶手段とは異なる第２記憶手段内について前記第２コンテンツを検索する第２検索工程と；を備える、こととすることができる。
【００１９】
この場合には、第２判定工程では、第１コンテンツが収納されていた場所が固定型記憶手段であった場合には、第１検索工程において、当該固定型記憶手段から検索を始める。そして、当該固定型記憶手段内から検索できなければ、第２検索工程において、いま一つの記憶手段である可搬型記憶手段について検索をする。同様に、第１コンテンツが収納されていた場所が可搬型記憶手段であった場合には第１検索工程において、当該可搬型記憶手段から検索を始め、当該可搬型記憶手段内から検索できなければ、第２検索工程において、固定型記憶手段について検索をする。これは、第１コンテンツが存在する記憶手段内の方が、その続編が存在する可能性が高いと考えられるため、検索の迅速化を図ることができるからである。
【００２０】
本発明は、第２の観点からすると、コンテンツを提示するコンテンツ提示手段と；コンテンツファイルを記憶する記憶手段と；前記記憶手段内に記憶されている、第１コンテンツが収納された第１ファイルのヘッダ情報において、前記第１コンテンツの続編である第２コンテンツの識別子が指定されているか否かを判定する第１判定手段と；前記第１判定手段による判定の結果が肯定的であった場合に、前記記憶手段内を検索し、前記第２コンテンツが記憶されているか否かを判定する第２判定手段と；前記第２判定手段による判定の結果が肯定的であった場合に、前記記憶手段から前記第２コンテンツを読み出し、前記第２コンテンツを前記コンテンツ提示手段を利用して提示するコンテンツ提示制御手段と；を備える通信端末装置である。
【００２１】
この通信端末装置では、第１判定手段が、第１コンテンツが収納された第１ファイルのヘッダ情報を読み出す。引き続き、読み出されたヘッダ情報中に、第１コンテンツの続編である第２コンテンツの識別子が指定されているか否かを判定する。
【００２２】
第１判定手段による判定の結果が肯定的なものであった場合には、第２判定手段が、通信端末装置の記憶手段内を検索し、第１コンテンツのヘッダ情報中に指定されていた第２コンテンツの識別子と同じ識別子を、自身のコンテンツの識別子として自身のヘッダ情報中に保持するコンテンツファイルを検索する。引き続き、第２判定手段は、検索の結果、当該第２ファイルが記憶手段内に存在することが検出されたか否かを判定する。この判定の結果が肯定的なものであった場合には、コンテンツ提示手段は、通信端末装置の記憶手段内から当該第２コンテンツを読み出し、通信端末装置の提示手段を利用して読み出した第２コンテンツを提示する。
【００２３】
よって、第１コンテンツが収納された第１ファイルのヘッダ情報において、第１コンテンツの続編である第２コンテンツの識別子が指定され、かつ、第２コンテンツが収納された第２ファイルが記憶手段内に存在している場合には、続編の再生指定といった簡易な操作を行うことにより、続編の探索が行われ、当該続編の再生が行われる。この結果、利用者は、第１コンテンツファイルを閉じた後、自ら通信端末装置の記憶手段内を検索することなく、続編を楽しむことができる。したがって、本発明によれば、続き物のコンテンツにおける続編の再生を簡易に行うことができる。
【００２４】
本発明の通信端末装置では、前記第１ファイルは、前記第２コンテンツが収納された第２ファイルを格納したサーバのネットワーク上の位置を示す識別子を含むヘッダ情報を有し、前記第２判定手段における前記判定の結果が否定的なものであった場合に、前記識別子を前記第１ファイルのヘッダ情報より読み出し、前記識別子を利用して前記第２ファイルを取得する取得手段を更に備えるようにすることができる。
【００２５】
この場合には、第１コンテンツの続編としてヘッダ情報中に指定される識別子により特定される第２コンテンツを収納したファイルが通信端末装置の記憶手段内に存在しない場合に、取得手段が、第１ファイルのヘッダ情報において指定されている、第２コンテンツが記憶されているネットワーク上の位置の識別子を利用してネットワークに接続し、第２ファイルを取得する。
【００２６】
よって、続編のコンテンツが通信端末装置の記憶手段内に存在しない場合にも、第１コンテンツファイルのヘッダ情報中のネットワーク上の位置の識別子を用いることで、利用者は、簡易に続編を取得し再生させることができる。
【００２７】
なお、本発明の通信端末装置では、前記コンテンツ提示手段には、表示手段及び音声出力手段の少なくとも一方が含まれるようにすることができる。
【００２８】
本発明の通信端末装置では、前記記憶手段は、前記通信端末装置に固定的に内蔵されている固定型記憶手段と、前記通信端末装置に対して挿抜可能な記憶手段であって前記通信端末装置に搭載された可搬型記憶手段とを含み、前記第２判定手段は、前記固定型記憶手段及び前記可搬型記憶手段のうち、前記第１コンテンツが収納されていた第１記憶手段内について前記第２コンテンツを検索し、当該検索により前記第２コンテンツを発見できなかった場合に、前記第１記憶手段とは異なる第２記憶手段内について前記第２コンテンツを検索する第２検索手段と；を備える、こととすることができる。
【００２９】
この場合には、第２判定工程においては、第１コンテンツが収納されていた場所が固定型記憶手段であった場合には、当該固定型記憶手段から検索を始める。そして、当該固定型記憶手段内から検索できなければ、いま一つの記憶手段である可搬型記憶手段について検索をする。同様に、第１コンテンツが収納されていた場所が可搬型記憶手段であった場合には、当該可搬型記憶手段から検索を始め、当該可搬型記憶手段内から検索できなければ、固定型記憶手段について検索をする。これは、第１コンテンツが存在する記憶手段内の方が、その続編が存在する可能性が高いと考えられるため、検索の迅速化を図ることができるからである。
【００３０】
また、本発明の通信端末装置では、移動通信網の基地局との間で無線通信を行う無線通信手段を更に備えるようにすることができる。すなわち、本発明の通信端末装置を、携帯電話装置等の移動通信端末装置とすることができる。
【発明の効果】
【００３１】
以上説明したように、本発明のコンテンツ再生方法によれば、通信端末装置において、続き物のコンテンツにおける続編の再生を簡易に行うことができるという効果を奏する。
【００３２】
また、本発明の通信端末装置によれば、続き物のコンテンツにおける続編の再生を簡易に行うことができるという効果を奏する。
【発明を実施するための最良の形態】
【００３３】
以下、本発明の一実施形態を、図１〜図８を参照しつつ説明する。なお、これらの図においては、同一又は同等の要素には同一の符号を付し、重複する説明を省略する。
【００３４】
[構成]
図１には、本発明の一実施形態に係る移動通信端末装置である携帯電話装置１０を備えるシステム１００の構成が概略的に示されている。図１に示されるように、システム１００は、（ａ）携帯電話装置１０と、（ｂ）携帯電話装置１０と無線通信を行う基地局５１と、（ｃ）基地局５１が接続されたネットワーク５０と、（ｅ）ネットワーク５０に接続されたコンテンツサーバ６０とを備えている。なお、図１においては、携帯電話装置１０が基地局５１と無線通信を行う例が代表的に示されているが、ネットワーク５０には多数の基地局が接続されており、携帯電話装置１０は、基地局５１以外の基地局との間で無線通信を行うことも可能となっている。このシステム１００においては、携帯電話装置１０は、基地局５１を介してネットワークに接続し、コンテンツサーバ６０に接続できるようになっている。
【００３５】
図２には、移動通信端末装置である携帯電話装置１０の外観構成が概略的に示されている。ここで、図２（Ａ）には、携帯電話装置１０の外観の正面図が示され、図２（Ｂ）には、携帯電話装置１０の外観の背面図が示されている。
【００３６】
図２（Ａ）及び図２（Ｂ）に総合的に示されるように、携帯電話装置１０は、（ａ）携帯電話本体１１と、（ｂ）電話番号を入力するためのテンキー、及び、動作モードの切換等の各種指令を、後述する制御部２１（図３参照）に入力するためのファンクションキーを有する操作部１２と、（ｃ）操作案内、動作状況、受信メッセージ等を表示する液晶表示装置を有する表示手段としての表示部１３とを備えている。また、携帯電話装置１０は、（ｄ）通話時に通信相手から送られてきた音声信号を再生する通話用スピーカ１４と、（ｅ）集音時に音を入力したり、通話時に音声を入力したりするためのマイクロフォン１５と、（ｆ）着信音や案内音を発生するための案内用スピーカ１６と、（ｇ）基地局との間で無線信号を授受するためのアンテナ１７とを備えている。
【００３７】
携帯電話本体１１の内部には、図３に示されるように、（ｉ）携帯電話装置１０全体の動作を統括制御する制御部２１と、(ii)アンテナ１７を介して、基地局との間で無線信号の送受信を行う送受信部２２と、（iii）制御部２１で実行されるプログラムや各種データを格納する、読出専用メモリ（ＲＯＭ）素子やランダムアクセスメモリ（ＲＡＭ）素子を有する記憶部２３とを備えている。
【００３８】
ここで、記憶部２３内には、図３に示されたコンテンツ記憶領域２４Ｆが用意されている。なお、コンテンツ記憶領域２４Ｆは、書込み及び読出しが可能な領域となっている。
【００３９】
コンテンツ記憶領域２４Ｆには、図４に示されるように、一つ又は二つ以上のコンテンツファイル２５i（ｉ＝１，２，…，Ｎ）が格納される。これらのコンテンツファイル２５iのそれぞれは、図５に示されるように、ヘッダ部２６iとコンテンツ２７iとを備えている。なお、コンテンツファイル２５iは、コンテンツ記憶領域２４Ｆにおいてコンテンツの種別ごとに作成されたフォルダの中に収納されるようにすることができる。この場合には、コンテンツファイル２５iのそれぞれは、その種別に対応したフォルダ内に収納される。
【００４０】
ヘッダ部２６iには、図６に示されるように、項目４１i，４２i，４３i，４４i，４５i，４６i，…が含まれている。ここで、項目４１iには、コンテンツ２７iの続編が記憶されるネットワーク上の位置を示す識別子である「次作ＵＲＬ（Uniform Resource Locator）」を登録することができ、項目４２iには、コンテンツ２７iの識別子である「このファイルのコンテンツＩＤ（IDentifier）」を登録することができるようになっている。
【００４１】
また、項目４３iには、コンテンツ２７iの前編に該当するコンテンツのＩＤである「前ファイルのコンテンツＩＤ」を登録することができ、項目４４iには、コンテンツ２７iの続編に該当するコンテンツのＩＤである「次ファイルのコンテンツＩＤ」が登録できるようになっている。なお、当該コンテンツ２７iが最初の編である場合には、項目４３iには、「ｎｕｌｌ」コード又は最初の編であることの識別子がセットされる。また、当該コンテンツ２７iが最後の編である場合には、項目４４iには「ｎｕｌｌ」コード又は最後の編であることの識別子がセットされる。
【００４２】
項目４５iには、「タイトルキーワード」を登録できるようになっており、コンテンツをそのタイトルによりソートする際に利用できるようになっている。また、項目４６iには、「作者キーワード」を登録できるようになっており、コンテンツをその作者によりソートする際に利用できるようになっている。
【００４３】
制御部２１は、中央処理装置（ＣＰＵ）、デジタル信号処理装置（ＤＳＰ）等を備えており、一般的な携帯電話機能を実現するために、様々なデータ処理を行うとともに、上述した他の構成要素の動作制御を行うようになっている。この制御部２１において実行されるプログラムには、図７に示されるコンテンツ再生プログラム３１が含まれている。このコンテンツ再生プログラム３１は、コンテンツ表示管理部３４と、第２判定手段としての続編探索部３５と、取得手段としての取得部３６を備えている。
【００４４】
コンテンツ表示管理部３４は、コンテンツ表示の管理を行う。ここで、コンテンツ表示管理部３４は、第１判定手段としての続編判定部３２と、コンテンツ提示制御手段としての表示制御部３３とを備えている。
【００４５】
続編判定部３２は、コンテンツファイル２５iのヘッダ部２６iにおけるヘッダ情報を読み出し、項目４４iに「次ファイルのコンテンツＩＤ」がセットされているか否かを判定する。かかる判定は、コンテンツファイル２５iにおけるコンテンツ２７iの再生が終了したことが表示制御部３３から報告された際に行われる。この判定の結果が、肯定的であった場合には、表示制御部３３を介して、続編を再生するか否かの選択を促す続編再生ガイダンスを表示部１３に表示する。そして、このガイダンスを見た利用者が操作部１２を用いて、続編の再生を希望することを選択する操作をしたことを受けると、続編のコンテンツを収納した次ファイル（以下、「続編ファイル」とも呼ぶ）の探索指令を続編探索部３５へ送る。
【００４６】
表示制御部３３は、表示部１３へのコンテンツや各種ガイダンスの表示を制御する。なお、コンテンツファイル２５iにおけるコンテンツ２７iの再生が終了すると、表示制御部３３は、その旨を続編判定部３２へ通知する。
【００４７】
続編探索部３５は、続編判定部３２からコンテンツファイル２５iの次ファイルの探索指令を受けると、コンテンツ記憶領域２４Ｆにアクセスし、項目４４iの「次ファイルのコンテンツＩＤ」と同じＩＤを、項目４２k（ｋ≠ｉ）の「このファイルのコンテンツＩＤ」として保持する次ファイル２５kを探索する。この探索結果は、コンテンツ表示管理部３４に報告される。
【００４８】
なお、次ファイル２５kを探索できた場合には、コンテンツ表示管理部３４は、次ファイル２５kにおけるコンテンツ２７kの再生を行う。一方、次ファイル２５kを探索できなかった場合には、コンテンツ表示管理部３４は、取得部３６に、項目４１iの「次作ＵＲＬ」を用いて、ネットワーク上における当該「次作ＵＲＬ」によって示されるウェブページに接続するようにウェブ接続指令を送る。
【００４９】
取得部３６は、ウェブ接続指令を受けると、送受信部２２を介してネットワークに接続し、コンテンツサーバ６０上の、該当するウェブページにアクセスする。当該ウェブページより取得され、送受信部２２を通してダウンロードされた次ファイルは、取得部３６を介し、コンテンツ記憶領域２４Ｆに保存される。ウェブページから次ファイルが取得された旨は、取得部３６よりコンテンツ表示管理部３４に報告される。
【００５０】
なお、次ファイル２５kが取得された旨の報告を受けた場合には、コンテンツ表示管理部３４は、次ファイル２５kにおけるコンテンツ２７kの再生を行う。一方、次ファイル２５kを探索できなかった場合には、コンテンツ表示管理部３４は、次ファイル２５kを取得できなかった旨を表示部１３に表示する。
【００５１】
[動作]
次に、以上のように構成された携帯電話装置１０におけるコンテンツ再生プログラムについて説明する。なお、コンテンツが静止画像コンテンツであるコミックを再生する場合を例示して、以下の説明を行う。
【００５２】
利用者の入力操作によって任意のコンテンツファイル（以下、コンテンツファイル２５iであるものとする）が選択され、利用者によりコンテンツの再生が指令されると、図８におけるステップＳ１１において、コンテンツ再生プログラム３１が起動される。起動されたコンテンツ再生プログラム３１では、コンテンツ表示管理部３４が、再生の選択がなされたコンテンツファイル２５iをコンテンツ記憶領域２４Ｆから読み出す。
【００５３】
次に、コンテンツ表示管理部３４が、コンテンツ２７iについて必要なレンダリング処理等を適宜施した後、コンテンツ２７iの再生画像を表示部１３に表示する。こうして、コンテンツ２７iが最後まで再生されると、ステップＳ１２において、コンテンツ表示管理部３４の続編判定部３２が、コンテンツファイル２５iのヘッダ部２６iから項目４４iを読み出し、「次ファイルのコンテンツＩＤ」がセットされているか否かを判定する。
【００５４】
ステップＳ１２における判定の結果が否定的なものであった場合（ステップＳ１２：Ｎ）には、続編判定部３２は、次ファイルが存在しないことを示す表示を表示部１３に出力する。そして、コンテンツ再生プログラム３１が終了する。
【００５５】
ステップＳ１２における判定の結果が肯定的なものであった場合（ステップＳ１２：Ｙ）には、処理はステップＳ１３へ進む。このステップＳ１３においては、まず、続編判定部３２により、「続編を再生する」又は「終了する」のいずれを選択するかを問う旨の表示がなされる。利用者が操作部１２の操作キーを用いて「終了する」ことを選択した場合は、続編判定部３２が、利用者は続編を見ないと判定する（ステップＳ１３：Ｎ）。そして、コンテンツ再生プログラム３１が終了する。
【００５６】
一方、ステップＳ１３において、利用者が操作部１２の操作キーを用いて「続編を再生する」ことを選択した場合には、続編判定部３２が、利用者は続編を見ると判定する（ステップＳ１３：Ｙ）し、次ファイルの探索指令を続編探索部３５へ送る。そして、処理はステップＳ１４へ進む。
【００５７】
ステップＳ１４では、続編探索部３５が、コンテンツ記憶領域２４Ｆ内において、項目４４iの「次ファイルのコンテンツＩＤ」と同じＩＤを項目４２kの「このファイルのコンテンツＩＤ」として保持するヘッダ部２６kを持つコンテンツファイル２５kを探索する。この探索の結果、次ファイルであるコンテンツファイル２５kが見つかった場合（ステップＳ１４：Ｙ）には、続編探索部３５は、その旨をコンテンツ表示管理部３４に報告する。そして、処理はステップＳ１５へ進む。このステップＳ１５では、コンテンツ表示管理部３４は、次ファイル２５kのコンテンツ２７kをコンテンツ記憶領域２４Ｆから読み出す。この後、処理はステップＳ１７に進む。
【００５８】
ステップＳ１４における探索の結果、次ファイルが見つからなかった場合（ステップＳ１４：Ｎ）には、続編探索部３５は、その旨をコンテンツ表示管理部３４に報告する。そして、処理はステップＳ１６へ進む。
【００５９】
ステップＳ１６では、この報告を受けたコンテンツ表示管理部３４は、取得部３６に対し、コンテンツファイル２５iのヘッダ部２６iにおける項目４１iの「次作ＵＲＬ」を用いて、ネットワーク５０上における当該「次作ＵＲＬ」によって示されるウェブページに接続するようにウェブ接続指令を送る。そして、取得部３６が、送受信部２２を介してネットワークに接続し、コンテンツサーバ６０上の、該当するウェブページにアクセスする。当該ウェブページより取得され、送受信部２２を通してダウンロードされた次ファイルは、取得部３６を介し、コンテンツ記憶領域２４Ｆに保存される。ウェブページから次ファイルが取得された旨は、取得部３６からコンテンツ表示管理部３４に報告される。
【００６０】
なお、次ファイルの取得に際しては、例えば、次ファイルが既に購入済みであったり、無償提供対象であったりして、次ファイルを保有しているコンテンツサーバ６０が自動ダウンロードを行っている場合には、携帯電話装置１０による項目４１iの「次作ＵＲＬ」を利用したコンテンツサーバ６０へのアクセスにより、次ファイルが自動的にダウンロードされる。一方、新たな購入契約が必要であったり、利用者によるダウンロードの許可が必要であったりする場合には、表示部１３に表示させるウェブページ上に提示されるガイダンスに従って、利用者が、操作部１２において適宜入力操作等を行うことにより、次ファイルがダウンロードされる。
【００６１】
コンテンツサーバ６０からのダウンロードにより次ファイルの取得がなされたことの報告を受けたコンテンツ表示管理部３４は、次ファイルのコンテンツ２７kをコンテンツ記憶領域２４Ｆから読み出す。この後、処理はステップＳ１７に進む。
【００６２】
ステップＳ１７では、引き続き、コンテンツ表示管理部３４は、上述のステップＳ１１の場合と同様に、次ファイルのコンテンツ２７kについて必要なレンダリング処理等を適宜施した後、次ファイルのコンテンツ２７kの再生画像を表示部１３に表示する。
【００６３】
こうして、次ファイルのコンテンツ２７iが最後まで再生されると、処理はステップＳ１２へ進む。以後、ステップＳ１２〜Ｓ１７の処理が繰り返される。
【００６４】
以上説明したように、本実施形態では、コンテンツファイル２５i内のコンテンツ２７iの再生が終了すると、続編判定部３２が、コンテンツファイル２５i内のヘッダ部２６iにおける項目４４iに「次ファイルのコンテンツＩＤ」がセットされているか否かを判定する。この判定の結果が肯定的なものであった場合には、続編判定部３２により、続編を再生するか否か問う旨の表示がなされる。利用者が操作部１２の操作キーを用いて「続編を再生する」ことを選択した場合には、続編判定部３２が、次ファイルの探索指令を続編探索部３５へ送る。
【００６５】
次ファイルの探索指令を受けた続編探索部３５は、コンテンツ記憶領域２４Ｆ内において、項目４４iの「次ファイルのコンテンツＩＤ」と同じＩＤを項目４２kの「このファイルのコンテンツＩＤ」iとして保持するヘッダ部２６kを持つコンテンツファイル２５kを探索する。この探索の結果、次ファイルであるコンテンツファイル２５kが見つかった場合には、コンテンツ表示管理部３４は、次ファイル２５kのコンテンツ２７kを再生表示する。
【００６６】
したがって、本実施形態によれば、携帯電話装置１０において、続き物のコンテンツにおける続編の再生を簡易に行うことができる。
【００６７】
また、本実施形態では、続編探索部３５による探索により次ファイルが見つからなかった場合には、コンテンツ表示管理部３４は、取得部３６に、項目４１iの「次作ＵＲＬ」を用いてネットワーク上における「次作ＵＲＬ」によって示されるウェブページに接続するようにウェブ接続指令をする。取得部３６は、送受信部２２を介してネットワークに接続し、コンテンツサーバ６０上の、該当するウェブページにアクセスして、次ファイルを取得する。このため、続編のコンテンツを収納した次ファイルが、コンテンツ記憶領域２４Ｆ内に存在しない場合にも、「次作ＵＲＬ」を利用することで、利用者は、簡易に続編を取得し再生させることができる。
【００６８】
[実施形態の変形]
上記の実施形態では、コンテンツは、コンテンツ記憶領域２４Ｆに、図４に示されるように、一つ又は二つ以上のコンテンツファイル２５i（ｉ＝１，２，…，Ｎ）が格納されるとした。しかし、一般に移動通信端末装置は外部記憶媒体を挿入して使用することが可能である。よって、図９に示すように、携帯電話装置１０Ｂにおいて、外部記憶媒体収納部１９を設け、外部記憶媒体２０を挿入して、当該外部記憶媒体２０にもコンテンツファイル２５k（ｋ＝Ｎ＋１，Ｎ＋２，…）が更に格納されるとしてもよい。
【００６９】
このように２種の記憶媒体にコンテンツが格納される場合には、探索の順序を考え、続編探索部３５は、再生が終了したコンテンツの格納されたコンテンツファイルが、存在した場所から続編コンテンツ探索を開始するようにすることができる。この場合には、コンテンツ記憶領域２４Ｆに、再生していたコンテンツのコンテンツファイルが存在している場合には、まず、コンテンツ記憶領域２４Ｆ内について続編コンテンツファイルの探索を行う。かかるコンテンツ記憶領域２４Ｆ内についての探索により、続編コンテンツファイルが見つからなかった際には、外部記憶媒体２０内についての探索を更に行うようにする。
【００７０】
一方、外部記憶媒体２０に再生していたコンテンツのコンテンツファイルが存在している場合には、まず、当該外部記憶媒体２０内について続編コンテンツファイルの探索を行う。かかるコンテンツ記憶領域２４Ｆ内についての探索により、続編コンテンツファイルが見つからなかった際には、コンテンツ記憶領域２４Ｆ内についての探索を更に行うようにする。
【００７１】
以上のように、２種の記憶媒体にコンテンツが格納される場合において、再生していたコンテンツが存在する記憶媒体を優先して続編コンテンツファイルの探索を行うことにより、迅速な続編コンテンツファイルの探索を行うことができる。これは、再生していたコンテンツのコンテンツファイルが存在する記憶手段内の方が、その続編のコンテンツファイルが存在する可能性が高いからである。
【００７２】
また、上記の実施形態では、コンテンツをコミックとしたが、コンテンツを音楽のような音を含むものや、映画のように音と画像の両方を用いたものとすることもできる。ここで、コンテンツが音を含む場合には、コンテンツの提示に際して、案内用スピーカ又は通話用スピーカを利用することができる。
【００７３】
また、上記の実施形態では、コンテンツ記憶領域２４Ｆより続編探索を行い、次作コンテンツファイルが見つからなかった場合には、自動でネットワークに接続して取得することとしたが、ネットワークに自動で接続せず、利用者が自らコンテンツ記憶領域２４Ｆ内を探索することを選択できるようにしてもよい。
【００７４】
利用者が自らコンテンツ記憶領域２４Ｆ内を探索する場合には、コンテンツ記憶領域２４Ｆのコンテンツファイルが格納されているフォルダの中を閲覧する際に、コンテンツファイルのヘッダ情報である、図６に示される「タイトルキーワード」４５i又は「作者キーワード」４６iのいずれかを用いて、コンテンツファイルをソートするようにすることができる。この場合には、利用者が、操作部１２において適切なキー入力操作をすることで、タイトル又は作者によりコンテンツファイルをソートすることができる。こうすることで、フォルダ内が見易くなり、コンテンツファイルを探し易くすることができる。
【００７５】
また、上記の実施形態では、コンテンツファイルが保存される領域は携帯電話装置１０の内部にある記憶部２３内のコンテンツ記憶領域２４Ｆであったが、メモリカードのような、携帯電話装置に挿入することで使用できる外部記憶媒体内部の外部記憶領域に保存されるようにすることもできる。
【００７６】
また、上記の実施形態では、本発明を携帯電話装置に適用したが、携帯電話装置以外の通信端末装置に本発明を適用することができるのは、勿論である。
【産業上の利用可能性】
【００７７】
以上説明したように、本発明のコンテンツ再生方法は、通信端末装置におけるコンテンツ再生方法に適用することができる。また、本発明の通信端末装置は、コンテンツ再生を行う通信端末装置に適用することができる。
【図面の簡単な説明】
【００７８】
【図１】本発明の一実施形態に係る、移動通信端末装置を含むシステム構成が概略的に示されている。
【図２】図１の移動通信端末装置の外観構成を概略的に示す図である。
【図３】図２の装置の内部構成を説明するためのブロック図である。
【図４】図３のコンテンツ記憶領域の内容を説明するための図である。
【図５】図４のコンテンツファイルの構成を説明するための図である。
【図６】図５のヘッダ部の構成を説明するための図である。
【図７】図３の制御部で動作するソフトウェアの構成を概略的に示す図である。
【図８】コンテンツ再生プログラムによるコンテンツ再生処理を説明するためのフローチャートである。
【図９】変形例を説明するための図である。
【符号の説明】
【００７９】
１０，１０Ｂ…携帯電話装置（移動通信端末装置）、１１…携帯電話本体、１２…操作部、１３…表示部（コンテンツ提示手段の一部）、１４…通話用スピーカ、１５…マイクロフォン、１６…案内用スピーカ（コンテンツ提示手段の一部）、１７…アンテナ、１９…外部記憶媒体収納部、２０…外部記憶媒体（可搬型記憶手段）、２１…制御部、２２…送受信部、２３…記憶部、２４Ｆ…コンテンツ記憶領域（記憶手段、固定型記憶手段）、３１…コンテンツ再生プログラム、３２…続編判定部（第１判定手段）、３３…表示制御部（コンテンツ提示制御手段）、３４…コンテンツ表示管理部、３５…続編探索部（第２判定手段）、３６…取得部（取得手段）、５０…ネットワーク、５１…基地局、６０…コンテンツサーバ。
【図１】
2008052693.tif 000003
【図２】
2008052693.tif 000004
【図３】
2008052693.tif 000005
【図４】
2008052693.tif 000006
【図５】
2008052693.tif 000007
【図６】
2008052693.tif 000008
【図７】
2008052693.tif 000009
【図８】
2008052693.tif 000010
【図９】
2008052693.tif 000011